(57)【要約】【課題】移動通信装置において、通信断時にＡＦＣ制御信号が異常になっても、次回の通信再開時に問題なく通信が行えるようにする。【解決手段】ＡＦＣ部２のロック／アンロック状態をＡＦＣモニタ部５で監視し、通信断時に、アンロック状態であれば、前回のロック状態時のＴＣＸＯ制御信号を用いて、ＡＦＣ制御部２２でＴＣＸＯ１の制御を行うようにする。これにより、建物やトンネルなどの影響により通信が不可能になった場合や、通信が終了した場合にも、移動通信装置の基準周波数が基地局のそれと大きくずれることがなくなり、次回の通信時における通信が容易になる。【選択図】　　　図１
2004080223.tif 000002
【特許請求の範囲】
【請求項１】
制御発振手段と、前記制御発振手段の発振周波数を基に局部発振周波数を生成し、この局部発振周波数に基づいて受信基準周波数情報を含む受信信号をベースバンド信号に変換する周波数変換手段と、このベースバンド信号に含まれる前記受信基準周波数情報を基に、前記制御発振手段の周波数誤差情報を生成してこの誤差情報に応じた制御信号を生成して前記制御発振手段を制御するＡＦＣ手段とを含むＡＦＣ装置であって、
通信断時において、その前におけるＡＦＣロック状態の際の前記制御信号を用いて、前記ＡＦＣ手段がＡＦＣ動作をなすよう制御する制御手段を含むことを特徴とするＡＦＣ装置。
【請求項２】
前記ＡＦＣ手段は、ＡＦＣロック／非ロック状態を示す状態情報を生成し、前記状態情報がＡＦＣ非ロック状態を示す場合、このＡＦＣ非ロック状態を前記制御手段へ送出し、また前記状態情報がＡＦＣロック状態を示す場合、このＡＦＣロック状態とそのときの制御信号とを前記制御手段へ送出するよう構成されていることを特徴とする請求項１記載のＡＦＣ装置。
【請求項３】
前記制御手段は、通信断時において、前記ＡＦＣ手段から送出される前記状態情報がＡＦＣ非ロック状態を示す場合に、その前におけるＡＦＣロック状態時の制御信号を前記ＡＦＣ手段へ送出するようにしたことを特徴とする請求項１記載のＡＦＣ装置。
【請求項４】
請求項１〜３いずれか記載のＡＦＣ装置を用いたことを特徴とする移動通信装置。
【請求項５】
前記受信基準周波数情報は基地局の基準周波数を示す情報であることを特徴とする請求項４記載の移動通信装置。
【請求項６】
制御発振手段と、前記制御発振手段の発振周波数を基に局部発振周波数を生成し、この局部発振周波数に基づいて受信基準周波数情報を含む受信信号をベースバンド信号に変換する周波数変換手段と、このベースバンド信号に含まれる前記受信基準周波数情報を基に、前記制御発振手段の周波数誤差情報を生成してこの誤差情報に応じた制御信号を生成して前記制御発振手段を制御するＡＦＣ手段とを含むＡＦＣ装置の動作制御方法であって、
通信断時において、その前におけるＡＦＣロック状態の際の前記制御信号を用いて、前記ＡＦＣ手段がＡＦＣ動作をなすよう制御する制御ステップを含むことを特徴とする動作制御方法。
【請求項７】
前記ＡＦＣ手段において、ＡＦＣロック／非ロック状態を示す状態情報を生成して、前記状態情報がＡＦＣ非ロック状態を示す場合、このＡＦＣ非ロック状態を生成し、また前記状態情報がＡＦＣロック状態を示す場合、このＡＦＣロック状態とそのときの制御信号とを生成するステップとを更に含み、
前記制御ステップは、通信断時において、前記ＡＦＣ手段から送出される前記状態情報がＡＦＣ非ロック状態を示す場合に、その前におけるＡＦＣロック状態時の制御信号を前記ＡＦＣ手段へ送出するステップを有することを特徴とする請求項６記載の動作制御方法。
【請求項８】
制御発振手段と、前記制御発振手段の発振周波数を基に局部発振周波数を生成し、この局部発振周波数に基づいて受信基準周波数情報を含む受信信号をベースバンド信号に変換する周波数変換手段と、このベースバンド信号に含まれる前記受信基準周波数情報を基に、前記制御発振手段の周波数誤差情報を生成してこの誤差情報に応じた制御信号を生成して前記制御発振手段を制御するＡＦＣ手段とを含むＡＦＣ装置の動作制御をコンピュータに実行させるためのプログラムであって、
通信断時において、その前におけるＡＦＣロック状態の際の前記制御信号を用いて、前記ＡＦＣ手段がＡＦＣ動作をなすよう制御する制御ステップを含むことを特徴とするプログラム。
【請求項９】
前記ＡＦＣ手段において、ＡＦＣロック／非ロック状態を示す状態情報を生成して、前記状態情報がＡＦＣ非ロック状態を示す場合、このＡＦＣ非ロック状態を生成し、また前記状態情報がＡＦＣロック状態を示す場合、このＡＦＣロック状態とそのときの制御信号とを生成するステップとを更に含み、
前記制御ステップは、通信断時において、前記ＡＦＣ手段から送出される前記状態情報がＡＦＣ非ロック状態を示す場合に、その前におけるＡＦＣロック状態時の制御信号を前記ＡＦＣ手段へ送出するステップを有することを特徴とする請求項８記載のプログラム。
【発明の詳細な説明】
【０００１】
【発明の属する技術分野】
本発明はＡＦＣ装置及びその動作制御方法並びにそれを用いた移動通信装置に関し、特に移動通信システムにおいて、基地局の基準周波数と移動通信装置の基準周波数とを一致させるためのＡＦＣ（自動周波数制御）方式に関するものである。
【０００２】
【従来の技術】
従来のこの種のＡＦＣ装置の例を図５に示す。図５を参照すると、ＴＣＸＯ（Ｔｅｍｐｅｒａｔｕｒｅ　Ｃｏｍｐｅｎｓａｔｅｄ　Ｃｒｙｓｔａｌ　Ｏｓｃｉｌｌａｔｏｒ）１は移動通信装置の基準周波数を発振する電圧制御型発振器である。このＴＣＸＯ１が発振する基準周波数はＡＦＣ部２から送出されるＴＣＸＯ制御信号により決定される。無線部３は、このＴＣＸＯ１から出力される基準周波数の基準信号を用いて、図示せぬＰＬＬ（フェイズロックドループ）回路により局部発振周波数を生成して、基地局から送信されてくる伝送波をベースバンド信号に変換する。
【０００３】
デジタル信号処理部４は、無線部３から送られてくるベースバンド信号を用いてデジタル処理を行い、ベースバンド信号処理部４１において信号を復調することにより、通信を可能とする。また、このデジタル信号処理部４は、周波数誤差測定部４２において基地局と移動通信装置との周波数誤差情報を生成してＡＦＣ部２へ送出する。
【０００４】
ＡＦＣ部は、移動通信装置の基準周波数と基地局の基準周波数とを一致させるために、デジタル信号処理部４により得られた周波数誤差情報を、ＴＣＸＯ誤差変換部２１においてＴＣＸＯ誤差信号に変換し、ＴＣＸＯ制御部２２において、このＴＣＸＯ誤差信号に応じたＴＣＸＯ制御信号を生成する。このＡＦＣ部によるＡＦＣ制御は、常に移動通信装置の基準周波数を基地局の基準周波数に一致させる必要があることから、伝送波が存在している場合は常時動作するようになっている。
【０００５】
図６はこのＡＦＣ部２の動作を示すフローチャートであり、移動通信装置と基地局との基準周波数誤差を監視して（ステップＳ６１）、周波数誤差が所定閾値より小なる場合には、ＡＦＣロック状態とみなして、ＴＣＸＯ制御信号の更新を停止する（ステップＳ６２，Ｓ６３）。また、ＡＦＣロック状態においても、周波数誤差の監視を行っており（ステップＳ６１）、周波数誤差が閾値以上になると、ＡＦＣアンロック（非ロック）状態とみなして、再度、ＴＣＸＯ制御信号により移動通信装置と基地局との基準周波数を一致するよう制御することになる（ステップＳ６２，Ｓ６４）。
【０００６】
ここで、ＡＦＣ部４の周波数誤差測定部４２における周波数誤差測定方法の例について説明する。基地局からは既知のシンボルパターンが送られてきており、この既知のシンボルパターンを用いて、移動通信装置の周波数誤差を算出するようになっている。図７を参照すると、基地局から送出されてくる既知のシンボルパターンの例を示した図であり、基地局からは、同一シンボルパターンである（０，０）が送出されると、移動通信装置と基地局との基準周波数に誤差がない場合には、図８に示す様に、基地局からの第１のシンボルと第２のシンボルとは、Ｉ−Ｑ座標上において、同一のベクトルとして復調される。
【０００７】
ところが、移動通信装置の基準周波数がずれて誤差が生ずると、図９に示す様に、第１のシンボルと第２のシンボルとは、Ｉ−Ｑ座標上において、異なるベクトルとなり、そのベクトル間のずれ角θが周波数誤差に対応することになる。この周波数誤差θをＴＣＸＯ１の制御電圧に変換してＴＣＸＯ１を制御することにより、θ＝０となって、移動通信装置と基地局との基準周波数が一致することになるのである。なお、図７〜図９を用いて説明した周波数誤差測定方式については、移動通信システムにおいては公知であるので、上記の説明に止めるものとする。
【０００８】
【発明が解決しようとする課題】
従来の図５に示したＡＦＣ部２においては、常時ＴＣＸＯ１の基準周波数を制御するようになっており、基地局と移動通信装置との間の伝送波が、建物やトンネル等の影響によって通信不可能になり、通信停止した場合にも、ＡＦＣ動作が実行されるために、ノイズ成分等で周波数誤差情報を認識してしまい、ＡＦＣアンロック状態に陥って、再度ノイズ成分等により生成された周波数誤差情報でＴＣＸＯが制御されることになるので、移動通信装置の基準周波数が大きくずれるという危険性が生ずる。
【０００９】
基準周波数が大きくずれると、次回の通信時において、ＡＦＣの引込み速度が遅くなる可能性があり、また、基地局との通信が困難になるという欠点もある。
【００１０】
ここで、特開昭６１−７３４１６号公報を参照すると、通信装置において通話が断となった場合、ＡＦＣデータの更新を停止する技術が開示されている。通話が断となったときには、既にＡＦＣがずれている可能性が高く、このずれをそのまま保持してしまうことになる。通話が断となるということは、受信波の状態が悪いためであり、悪い受信波でＡＦＣを行っていると、周波数ずれが生じてしまうことにもなる。
【００１１】
本発明の目的は、通話断時にＡＦＣ制御信号が異常になっても、前回の正常なＡＦＣ制御信号を用いることで、次回通話時には問題なく通話が行えるようにしたＡＦＣ装置及びその動作制御方法並びにそれを用いた移動通信装置を提供することである。
【００１２】
【課題を解決するための手段】
本発明によるＡＦＣ装置は、制御発振手段と、前記制御発振手段の発振周波数を基に局部発振周波数を生成し、この局部発振周波数に基づいて受信基準周波数情報を含む受信信号をベースバンド信号に変換する周波数変換手段と、このベースバンド信号に含まれる前記受信基準周波数情報を基に、前記制御発振手段の周波数誤差情報を生成してこの誤差情報に応じた制御信号を生成して前記制御発振手段を制御するＡＦＣ手段とを含むＡＦＣ装置であって、通信断時において、その前におけるＡＦＣロック状態の際の前記制御信号を用いて、前記ＡＦＣ手段がＡＦＣ動作をなすよう制御する制御手段を含むことを特徴とする。
【００１３】
そして、前記ＡＦＣ手段は、ＡＦＣロック／非ロック状態を示す状態情報を生成し、前記状態情報がＡＦＣ非ロック状態を示す場合、このＡＦＣ非ロック状態を前記制御手段へ送出し、また前記状態情報がＡＦＣロック状態を示す場合、このＡＦＣロック状態とそのときの制御信号とを前記制御手段へ送出するよう構成されていることを特徴とする。また、前記制御手段は、通信断時において、前記ＡＦＣ手段から送出される前記状態情報がＡＦＣ非ロック状態を示す場合に、その前におけるＡＦＣロック状態時の制御信号を前記ＡＦＣ手段へ送出するようにしたことを特徴とする。
【００１４】
本発明によるＡＦＣ動作制御方法は、制御発振手段と、前記制御発振手段の発振周波数を基に局部発振周波数を生成し、この局部発振周波数に基づいて受信基準周波数情報を含む受信信号をベースバンド信号に変換する周波数変換手段と、このベースバンド信号に含まれる前記受信基準周波数情報を基に、前記制御発振手段の周波数誤差情報を生成してこの誤差情報に応じた制御信号を生成して前記制御発振手段を制御するＡＦＣ手段とを含むＡＦＣ装置の動作制御方法であって、通信断時において、その前におけるＡＦＣロック状態の際の前記制御信号を用いて、前記ＡＦＣ手段がＡＦＣ動作をなすよう制御する制御ステップを含むことを特徴とする。
【００１５】
そして、前記ＡＦＣ手段において、ＡＦＣロック／非ロック状態を示す状態情報を生成して、前記状態情報がＡＦＣ非ロック状態を示す場合、このＡＦＣ非ロック状態を生成し、また前記状態情報がＡＦＣロック状態を示す場合、このＡＦＣロック状態とそのときの制御信号とを生成するステップとを更に含み、前記制御ステップは、通信断時において、前記ＡＦＣ手段から送出される前記状態情報がＡＦＣ非ロック状態を示す場合に、その前におけるＡＦＣロック状態時の制御信号を前記ＡＦＣ手段へ送出するステップを有することを特徴とする。
【００１６】
本発明によるプログラムは、制御発振手段と、前記制御発振手段の発振周波数を基に局部発振周波数を生成し、この局部発振周波数に基づいて受信基準周波数情報を含む受信信号をベースバンド信号に変換する周波数変換手段と、このベースバンド信号に含まれる前記受信基準周波数情報を基に、前記制御発振手段の周波数誤差情報を生成してこの誤差情報に応じた制御信号を生成して前記制御発振手段を制御するＡＦＣ手段とを含むＡＦＣ装置の動作制御をコンピュータに実行させるためのプログラムであって、通信断時において、その前におけるＡＦＣロック状態の際の前記制御信号を用いて、前記ＡＦＣ手段がＡＦＣ動作をなすよう制御する制御ステップを含むことを特徴とする。
【００１７】
そして、前記ＡＦＣ手段において、ＡＦＣロック／非ロック状態を示す状態情報を生成して、前記状態情報がＡＦＣ非ロック状態を示す場合、このＡＦＣ非ロック状態を生成し、また前記状態情報がＡＦＣロック状態を示す場合、このＡＦＣロック状態とそのときの制御信号とを生成するステップとを更に含み、前記制御ステップは、通信断時において、前記ＡＦＣ手段から送出される前記状態情報がＡＦＣ非ロック状態を示す場合に、その前におけるＡＦＣロック状態時の制御信号を前記ＡＦＣ手段へ送出するステップを有することを特徴とする。
【００１８】
本発明の作用を述べる。ＡＦＣ部の状態を監視し、通信が一時停止した場合に、アン（非）ロック状態となったときには、その前（前回）のロック状態の制御信号を用いてＡＦＣ動作をなすよう制御することにより、基地局との伝送波が、建物やトンネル等の影響で通信断となった場合にも、移動通信装置の基準周波数が基地局のそれと大きくずれることがなくなり、次回の通信時に通信が容易となる。
【００１９】
【発明の実施の形態】
以下に図面を用いて本発明の実施例について説明する。図１は本発明の実施例のブロック図であり、図５と同等部分は同一符号により示している。図１においては、図５の従来技術に、ＡＦＣ部２の状態を監視するためのＡＦＣ状態モニター部５を追加しており、また、ＡＦＣ部２において、ＡＦＣ状態すなわちＡＦＣロック／アンロック状態を示す状態信号を生成するＡＦＣ状態生成部２３を設けている。
【００２０】
ＡＦＣ状態モニター部５は、ＡＦＣ状態生成部２３により発生される状態信号を監視するＡＦＣ状態監視部５１と、通信の停止を監視する通信中監視部５２とを有している。他の構成は図５の従来例と同等であるものとする。
【００２１】
図２はＡＦＣ部２の通常動作時の動作フローチャートである。移動通信装置と基地局との基準周波数の誤差を監視して（ステップＳ２１）、周波数誤差が所定閾値よりも小なる場合には、ＡＦＣロック状態とみなして、ロック状態信号を生成し（ステップＳ２２，Ｓ２３）、ＴＣＸＯ制御信号の更新を停止する（ステップＳ２４）。そして、ロック状態とそのときのＴＣＸＯ制御信号を、ＡＦＣ状態モニター部５へ送出する（ステップＳ２５）。
【００２２】
ＡＦＣロック状態においても、周波数誤差の監視を行っており（ステップＳ２１）、周波数誤差が閾値以上になると、ＡＦＣアンロック（非ロック）状態とみなして、アンロック状態信号を生成し（ステップＳ２６）、ＴＣＸＯ制御信号により移動通信装置と基準信号を一致するよう制御する（ステップＳ２７）。同時に、アンロック状態信号をＡＦＣ状態モニター部５へ送出する（ステップＳ２８）。そして、ステップＳ２１へ戻る。
【００２３】
図３はＡＦＣ状態モニター部５の動作を示すフローチャートである。図３を参照すると、移動通信装置の通信状態を常時監視し、建物やトンネル等により通信が一時中断し停止状態になると（ステップＳ３１，Ａ３２）、ＡＦＣ部２からの状態信号を監視し（ステップＳ３３）、以下の動作を行う。なお、通信中監視部５２における通信状態の監視の方法としては、例えば、基地局からの下り受信信号の受信品質であるＳＩＲ（信号対干渉波比）を監視し、ある閾値以下になると、通信断と判断する。
【００２４】
通信が断となると（ＡＦＣ部の動作が停止）、ＡＦＣ状態信号を監視して、ロック状態信号であれば、このロック状態信号をＡＦＣ部制御信号としてＡＦＣ部２へ通知する（ステップＳ３５）。ＡＦＣ状態信号がアンロック状態信号であれば、ＡＦＣ制御信号として、アンロック状態信号と前回ロック時のＴＣＸＯ制御信号を、ＡＦＣ部２へ通知する（ステップＳ３６）。
【００２５】
図４は通信停止時におけるＡＦＣ部２の動作を示すフローチャートである。図４を参照すると、ＡＦＣ状態モニター部５から通知されてくるＡＦＣ部制御信号を監視して（ステップＳ４１）、ＡＦＣ部制御信号がロック状態信号であれば（ステップＳ４２，Ｓ４３）、ＴＣＸＯ制御信号は現状を維持する（ステップＳ４４）。通知されてきたＡＦＣ部制御信号がアンロック状態信号の場合には、同時に通知されているＴＣＸＯ制御信号を用いてＴＣＸＯ制御信号を行うよう動作する（ステップＳ４３，Ｓ４５）。
【００２６】
すなわち、通信停止時において、ＡＦＣ部がアンロック状態にあれば、ＡＦＣ部２には、前回のロック状態でのＴＣＸＯ制御信号が通知されて、この通知されたＴＣＸＯ制御信号を用いて、ＡＦＣ部２はＴＣＸＯ制御を行うことになる。従って、次回の通信時（通信再開時）には、移動通信装置の基準周波数は、一度ロックしたことがある値に制御されるので、移動通信装置の基準周波数が基地局のそれに比べて大きく異なることがなくなり、通信が容易に再開できるのである。
【００２７】
上述したＡＦＣ状態モニター部５の動作は、予め動作手順をプログラムとしてＲＯＭ等の記録媒体に格納しておき、これをＣＰＵ等のコンピュータに読取らせて実行するようにすることができることは明らかである。
【００２８】
【発明の効果】
以上述べた如く、本発明によれば、ＡＦＣ状態モニター部を設けてＡＦＣ部の状態をモニターしてＡＦＣ部の状態がアンロック状態の場合には、ＡＦＣ部制御信号としてアンロック及び前回のロック状態でのＴＣＸＯ制御信号をＡＦＣ部へ通知するようにしたので、基地局との伝送波が建物やトンネル等の影響により通信が不可能に陥った場合にも、また通信が終了した場合にも、移動通信装置の基準周波数が基地局のそれと大きくずれることがなくなり、次回の通信時における通信が容易になるという効果がある。
【図面の簡単な説明】
【図１】本発明の実施例のブロック図である。
【図２】図１のＡＦＣ部の通常時の動作フローチャートである。
【図３】図１のＡＦＣ状態モニター部の動作フローチャートである。
【図４】通信停止時のＡＦＣモニター部の動作フローチャートである
【図５】従来技術を示すブロック図である。
【図６】図５のＡＦＣ部の動作フローチャートである。
【図７】基地局から送られてくる既知のシンボルパターンの例を示す図である。
【図８】周波数誤差がない場合の復調シンボルを示す図である。
【図９】周波数誤差がある場合の復調シンボルを示す図である。
【符号の説明】
１　ＴＣＸＯ
２　ＡＦＣ部
３　無線部
４　デジタル信号処理部
５　ＡＦＣ状態モニター部
２１　ＴＣＸＯ誤差変換部
２２　ＴＣＸＯ制御部
２３　ＡＦＣ状態生成部
４１　ベースバンド信号復調部
４２　周波数誤差測定部
５１　ＡＦＣ状態監視部
５２　通信中監視部
【図１】
2004080223.tif 000003
【図２】
2004080223.tif 000004
【図３】
2004080223.tif 000005
【図４】
2004080223.tif 000006
【図５】
2004080223.tif 000007
【図６】
2004080223.tif 000008
【図７】
2004080223.tif 000009
【図８】
2004080223.tif 000010
【図９】
2004080223.tif 000011